(57)【要約】      （修正有）【課題】簡易な構成で、必要とされる保冷性能を確保することができ、被輸送物を安定的に収容する保冷容器を提供する。【解決手段】保冷容器１は、発泡樹脂製であり、上面に開口を有する容器本体２と、容器本体２の開口を施蓋する蓋体３と、を備える。容器本体２は、被輸送物４が収容される保冷室２０Ａと、保冷室２０Ａの側方に設けられ保冷剤５が収容される保冷剤収容室２０Ｂと、保冷室２０Ａと保冷剤収容室２０Ｂとを区分けする隔壁部２７と、を有する。蓋体３は、保冷室２０Ａに嵌め込まれる突出部３４を有し、隔壁部２７は、保冷室２０Ａと保冷剤収容室２０Ｂとを通気させる縦溝２９を有し、突出部３４と隔壁部２７との間には、所定の隙間Ｓが設けられている。【選択図】図７
0003232348.tif 000002
【実用新案登録請求の範囲】
【請求項１】
上面に開口を有する容器本体と、前記容器本体の開口を施蓋する蓋体と、を備えた発泡樹脂製の保冷容器であって、
前記容器本体は、被輸送物が収容される保冷室と、前記保冷室の側方に設けられ保冷剤が収容される保冷剤収容室と、前記保冷室と前記保冷剤収容室とを区分けする隔壁部と、を有し、
前記蓋体は、前記保冷室に嵌め込まれる突出部を有し、
前記隔壁部は、前記保冷室と前記保冷剤収容室とを通気させる縦溝を有し、
前記突出部と前記隔壁部との間には、所定の隙間が設けられていることを特徴とする保冷容器。
【請求項２】
前記保冷室は、円筒形状の被輸送物が嵌め込まれる保持穴を有することを特徴とする請求項１に記載の保冷容器。
【請求項３】
前記保持穴は、その内周面に内方に突出した保持突起を有することを特徴とする請求項２に記載の保冷容器。
【請求項４】
前記隔壁部の上縁は、前記容器本体の開口より低く、
前記蓋体は、前記隔壁部の上縁に向けて突出し前記突出部と段違いになるよう形成された段状部を有することを特徴とする請求項１乃至請求項３のいずれか一項に記載の保冷容器。
【請求項５】
前記保冷室内において前記突出部と前記被輸送物との間に緩衝材が挟持されることを特徴とする請求項乃至請求項４のいずれか一項に記載の保冷容器。
【考案の詳細な説明】
【技術分野】
【０００１】
本考案は、新型コロナウイルスワクチンといった保冷を要する被輸送物が収容される発泡樹脂製の保冷容器に関する。
【背景技術】
【０００２】
新型コロナウイルス感染症（ＣＯＶＩＤ−１９）は、２０１９年１２月初旬に中国で第１例目の感染者が報告されてから、わずか数ケ月ほどの間にパンデミックと呼ばれる世界的な流行となった。この脅威に対抗すべく、世界各国の医薬メーカーや研究機関でワクチン開発が進められ、２０２０年末には英国や米国の一部で、ワクチン接種が開始されるに至った。
【０００３】
日本において、ワクチン供給を受けることが決まっているのは、米国ファイザー社、米国モデルナ社、英国アストラゼネカ社であり、例えば、ファイザー社製ワクチンの保管温度は−７５℃（±１５℃）、モデルナ社製ワクチンの保管温度は−２０℃（±５℃）とされている。これらは、ｍＲＮＡタイプのワクチンと呼ばれ、構造が壊れ易い遺伝子で作られているため、低温を維持し、且つ振動や衝撃を与えない状態で保管しなければ、ワクチンの効果が失われる虞がある。このようなワクチンや医薬品等といった温度管理を要する被輸送物を収容する保冷容器として、収容部の周囲に保冷剤を配置できるように構成された運搬容器が知られている（例えば、特許文献１参照）。
【先行技術文献】
【特許文献】
【０００４】
【特許文献１】特開２０１４−９９３号公報
【考案の概要】
【考案が解決しようとする課題】
【０００５】
ところで、日本でのワクチン接種が進められているファイザー社製ワクチンは、海外工場から空輸された後、国内倉庫のディープフリーザーで保管され、各地域の医療機関や接種会場には、約１０００回接種分を１単位として、保冷ボックスとドライアイスを利用して輸送することになっている。しかしながら、接種会場ごとに接種数の規模は異なり、規模の小さな会場では約１０００回分もの接種を行うことができない。そのため、現実的には、ワクチンが封入されたバイアル瓶を小分けして、各接種会場に搬送することになる。ところが、従来の運搬容器では、上記目的に特化したものではないので、ワクチンが封入されたバイアル瓶を安定的に収容することができない虞がある。
【０００６】
本考案は、上記課題に鑑みてなされたものであり、簡易な構造でありながら、必要とされる保冷性能を確保することができ、ワクチンが封入されたバイアル瓶といった被輸送物を安定的に収容することができる保冷容器を提供することを目的とする。
【課題を解決するための手段】
【０００７】
上記課題を解決するため、本考案は、上面に開口を有する容器本体と、前記容器本体の開口を施蓋する蓋体と、を備えた発泡樹脂製の保冷容器であって、前記容器本体は、被輸送物が収容される保冷室と、前記保冷室の側方に設けられ保冷剤が収容される保冷剤収容室と、前記保冷室と前記保冷剤収容室とを区分けする隔壁部と、を有し、前記蓋体は、前記保冷室に嵌め込まれる突出部を有し、前記隔壁部は、前記保冷室と前記保冷剤収容室とを通気させる縦溝を有し、前記突出部と前記隔壁部との間には、所定の隙間が設けられていることを特徴とする。
【０００８】
上記保冷容器において、前記保冷室は、円筒形状の被輸送物が嵌め込まれる保持穴を有することが好ましい。
【０００９】
上記保冷容器において、前記保持穴は、その内周面に内方に突出した保持突起を有することが好ましい。
【００１０】
上記保冷容器において、前記隔壁部の上縁は、前記容器本体の開口より低く、前記蓋体は、前記隔壁部の上縁に向けて突出し前記突出部と段違いになるよう形成された段状部を有することが好ましい。
【００１１】
上記保冷容器において、前記保冷室内において前記突出部と前記被輸送物との間に緩衝材が挟持されることが好ましい。
【考案の効果】
【００１２】
本考案に係る保冷容器によれば、断熱性の高く且つ弾力性のある発泡樹脂で構成されているので、簡易な構成ながら、保冷室の温度を一定に維持することができ、振動や衝撃から被輸送物を保護することができる。また、蓋体の突出部と隔壁部との間には、所定の隙間が設けられるので、保冷剤収容室の冷気は、縦溝を介して隔壁部を通過し、突出部と隔壁部との間の隙間を通って、保冷室に流入する。これにより、冷気が適切に保冷室に行き渡り、被輸送物に必要とされる保冷性能を確保することができる。また、突出部が保冷室に嵌め込まれているので、突出部によって被輸送物の上方への移動が規制され、被輸送物を安全に輸送することができる。
【図面の簡単な説明】
【００１３】
【図１】（ａ）本考案の一実施形態に係る保冷容器の蓋体を開けた状態を示す斜視図、（ｂ）は蓋体を閉めた状態を示す斜視図。
【図２】（ａ）同保冷容器の正面図、（ｂ）は側面図、（ｃ）は平面図、（ｄ）は（ｃ）のＡ−Ａ線断面図、（ｅ）は（ｃ）のＢ−Ｂ線断面図、（ｆ）は（ｃ）のＣ−Ｃ線断面図。
【図３】（ａ）上記保冷容器に用いられる容器本体の斜視図、（ｂ）は同容器本体の（ａ）とは異なる角度からの斜視図。
【図４】（ａ）上記容器本体の正面図、（ｂ）は側面図、（ｃ）は平面図、（ｄ）は（ｃ）のＤ領域の拡大図、（ｅ）は（ｃ）のＥ−Ｅ線断面図、（ｆ）は（ｃ）のＦ−Ｆ線断面図。
【図５】（ａ）上記保冷容器に用いられる蓋体の平面を主とした斜視図、（ｂ）は底面を主とした斜視図。
【図６】（ａ）上記蓋体の正面図、（ｂ）は側面図、（ｃ）は底面図、（ｄ）は（ｃ）のＧーＧ線断面図、（ｅ）は（ｃ）のＨ−Ｈ線断面図。
【図７】図２（ｃ）のＢ−Ｂ線断面図
【考案を実施するための形態】
【００１４】
本考案の一実施形態に係る保冷容器について、図面を参照して説明する。図１（ａ）（ｂ）及び図２（ａ）乃至（ｆ）に示すように、本実施形態の保冷容器１は、上面に開口２０を有する容器本体２と、容器本体２の開口２０を施蓋する蓋体３と、を備える。なお、以下の説明において、図１（ｂ）に示した保冷容器１の左下側の面（図中矢印方向からの視点）を正面とし、右下側の面を右側面とする。
【００１５】
容器本体２及び蓋体３は、いずれも発泡樹脂製であり、例えば、ポリスチレン、ポリエチレン、ポリプロピレン等のポリオレフィン系樹脂といった発泡合成樹脂製であり、本実施形態では、発泡ポリスチレン（ＥＰＳ（ｅｘｐａｎｄｅｄ  ｐｏｌｙｓｔｙｒｅｎｅ））により成型される。容器本体２、蓋体３は、夫々同じ樹脂材料により構成されていてもよいが、夫々発泡倍率（密度）や硬さが異なるものが用いられてもよい。
【００１６】
容器本体２は、上面に開口２０を有する有底箱形状の容器であり、その内部に円筒形状の被輸送物４（ワクチンを封入したバイアル瓶が想定される）や保冷剤５が収容される。また、被輸送物４上には、ウレタン等の緩衝材６が配置されることが望ましい。保冷容器１は、平面視で一方の辺が他方の辺よりも長い略長方矩形であり、そのサイズは、例えば、３００ｍｍ×２２０ｍｍである。容器本体２に蓋体３を積み重ねたときの高さは、例えば、１９０ｍｍである。容器本体２の開口２０のサイズは、例えば、２２０ｍｍ×１４０ｍｍである。
【００１７】
図３（ａ）（ｂ）及び図４（ａ）乃至（ｆ）に示すように、容器本体２は、略長方矩形の底面２１と、底面２１の４辺に立設された正面２２、左側面２３、右側面２４及び背面２５と、を有する。底面２１、正面２２、左側面２３、右側面２４及び背面２５の厚みは、例えば、３０ｍｍ以上であることが望ましく、４０ｍｍ以上であることが更に望ましい。容器本体２は、これらの５面によって所定の収容空間を形成する。この収容空間の最も深い位置から開口２０の最も高い位置までの高さは、例えば、１００〜１５０ｍｍ（図例は１２０ｍｍ）である。正面２２、左側面２３、右側面２４及び背面２５の上縁には、開口２０の周縁を成すように、蓋体３の凹枠部３５と篏合する凸枠部２６が設けられている。なお、図示を省略しているが、底面２１の外側面は平坦面である。
【００１８】
容器本体２は、被輸送物４が収容される保冷室２０Ａと、保冷室２０Ａの側方に設けられ保冷剤５が収容される保冷剤収容室２０Ｂと、保冷室２０Ａと保冷剤収容室２０Ｂとを区分けする隔壁部２７と、を有する。保冷室２０Ａは、容器本体２内の収容空間の中央に位置し、正面２２及び背面２５の内側面と、両側の隔壁部２７の４面で囲われている。保冷剤収容室２０Ｂは、保冷室２０Ａの側面２３、２４方向の両側にそれぞれ隔壁部２７を介して配置されている（特に、図４（ｃ）参照）。
【００１９】
保冷室２０Ａは、平面視において開口２０の長手方向の辺が、短手方向の辺よりも僅かに小さい略正方矩形であり、保冷室２０Ａの底面２１のサイズは、例えば、１３０ｍｍ×１４０ｍｍとされる。そして、保冷室２０Ａの底面２１には、円筒形状の被輸送物４が嵌め込まれるように複数の保持穴２８が形成されている。本実施形態では、保持穴２８は、格子状に５×５の２５個、配置されている。保持穴２８の口径は、例えば、円筒形状の被輸送物４（バイアル瓶）の外径と概ね等しくなるように設定される。また、保持穴２８の深さは、被輸送物４の下部を保持し、被輸送物４の上部は保持穴２８から上方に突出するように設定される。例えば、保持穴２８の口径は最大箇所で１６．５ｍｍ、深さは１７ｍｍとされ、この場合、隣り合う保持穴２８の間隔は、各保持穴２８の中心から２５ｍｍとされる。
【００２０】
図４（ｄ）に示すように、保持穴２８は、その内周面に保持穴２８の内方に突出した保持突起２８ａを有する。本実施形態では、保持突起２８ａは、保持穴２８の内周面の４箇所にそれぞれ設けられる。保持突起２８ａによって保持穴２８の最小口径は、被輸送物４の外径よりも僅かに小さくなることが望ましい。容器本体２は、弾力性のある発泡樹脂で成型されているので、保持穴２８に被輸送物４が嵌め込まれた際に、保持突起２８ａは押し潰されて被輸送物４に圧着し、被輸送物４を保持穴２８に安定的に保持する。
【００２１】
隔壁部２７は、その上縁が容器本体２の開口２０より低くなるように形成されている（図４（ｅ）参照）。また、隔壁部２７は、保冷室２０Ａと保冷剤収容室２０Ｂとを通気させる縦溝２９を有する（図４（ｆ）参照）。縦溝２９は、一方の隔壁部２７につき３箇所、設けられている。縦溝２９は、例えば、幅２０ｍｍ、隣り合う縦溝２９との間隔が２５ｍｍとなるよう配置されている。また、縦溝２９は、その最も深い箇所が、保冷室２０Ａの底面２１よりも高い位置になるように形成されている。
【００２２】
図５（ａ）（ｂ）及び図６（ａ）乃至（ｅ）に示すように、蓋体３は、保冷容器１の上面を成す板状部材である。蓋体３の上面３１は平坦面であり、その中央に肉抜きのための凹部３２が設けられている。蓋体３の下面３３には、保冷室２０Ａに嵌め込まれる突出部３４が形成されている。また、蓋体３の下面３３には、突出部３４を囲うように、容器本体２の凸枠部２６と篏合する凹枠部３５が設けられている。突出部３４の側面３４ａのうち正面側の面及び背面側の面は、凹枠部３５の内溝面と連続した鉛直面として構成される（図５（ｂ）参照）。
【００２３】
突出部３４は、保冷室２０Ａの形状に対応した箱形の出っ張りであり、後述する段状部３６の底面３６ｂから膨出した４つの側面３４ａと、下面３３と平行な底面３４ｂと、を有する。隣り合う側面３４ａの成す角部や側面３４ａと底面３４ｂとの成す角部は、夫々緩やかに丸みを帯びるように面取りされている。底面３４ｂは、例えば、平面視において保冷室２０Ａより僅かに小さな略正方矩形である（図６（ｃ）参照）。突出部３４（側面３４ａ）の高さは、蓋体３の下面３３から、例えば、６８ｍｍとされ、保冷室２０Ａの殆どの容量は、突出部３４によって埋められることになる。また、蓋体３の上面３１に設けられた肉抜きのための凹部３２は、突出部３４及び段状部３６に対応するように、段状に形成されている。なお、蓋体３は、凹部３２によって蓋体３で最も薄くなった箇所でも、その厚みは３０ｍｍ以上である（図６（ｄ）（ｅ）参照）。
【００２４】
蓋体３は、隔壁部２７の上縁に向けて突出し突出部３４と段違いになるよう形成された段状部３６を有する。段状部３６は、蓋体３の下面３３から膨出した４つの側面３６ａと、蓋体３の下面３３と平行な底面３６ｂと、を有する。段状部３６は、保冷剤収容室２０Ｂの上方には設けられていない。そのため、保冷剤収容室２０Ｂは、その高さが容器本体２の底面２１から蓋体３の下面３３まであり、保冷容器１で高さ方向に最も大きな収容空間を持ち、大きな保冷剤５を収容することができる。また、段状部３６の側面３６ａのうち、左側面２３側の面及び右側面２４側の面は、保冷剤収容室２０Ｂに収容される保冷剤５に面し、保冷剤５の水平方向の移動を規制する（後述する図７参照）。一方、段状部３６の側面３６ａのうち、正面側の面及び背面側の面は、容器本体２の正面２２及び背面２５の内面と接しており、容器内の気密性を高めている（図２（ｄ）参照）。
【００２５】
本実施形態の保冷容器１は、断熱性の高く、且つ弾力性のある発泡樹脂で構成されているので、簡易な構成ながら、保冷室２０Ａの温度を一定に維持することができ、振動や衝撃から被輸送物４を保護することができる。また、保冷容器１は、蓋体３の突出部３４が、隔壁部２７で挟まれた保冷室２０Ａよりも僅かに小さくなるように形成されているので、図７に示すように、突出部３４と隔壁部２７との間には、所定の隙間Ｓが設けられる。なお、容器本体２の正面２２及び背面２５の各内面と突出部３４との間にも、所定の隙間Ｓがある（図２（ｄ）参照）。
【００２６】
上記構成によれば、保冷剤収容室２０Ｂにおいて保冷剤５で冷やされた冷気は、縦溝２９を介して隔壁部２７を通過し、突出部３４と隔壁部２７との間を通って、保冷室２０Ａに流入する。これにより、保冷剤５の冷気は適切に保冷室２０Ａに行き渡り、被輸送物４に必要とされる保冷性能を確保することができる。突出部３４と隔壁部２７との間の隙間Ｓは、５〜１５ｍｍであることが好ましく、１０ｍｍ前後であることが最も好ましい。５ｍｍ以下となると通気性が悪くなり、１５ｍｍ以上となると保冷室２０Ａに無駄なスペースが生じてしまうため、好ましくない。
【００２７】
また、容器本体２の隔壁部２７の上縁と、蓋体３の段状部３６の間にも、隙間があるので（図７参照）、保冷剤５の冷気は、この隙間からも保冷室２０Ａに流入する。従って、保冷剤収容室２０Ｂに高さのある大きな保冷剤５を収容した場合にも、その冷気を適切に保冷室２０Ａに行き渡らせることができ、より高い保冷性能を得ることができる。
【００２８】
また、突出部３４が保冷室２０Ａに嵌め込まれているので、保冷室２０Ａ内の無駄な空間が減り、保冷剤５による冷却効率が高まると共に、容器本体２に蓋体３を施蓋した際に、保冷室２０Ａ内の空気が押し出されるので、空気中の水分による結露を低減することができる。更に、保冷室２０Ａと保冷剤収容室２０Ｂとが隔壁部２７で区分けされ、通気用の縦溝２９の最も深い箇所でも、保冷室２０Ａの底面２１よりも高い位置にあるので、保冷剤５の周囲で結露により水滴が発生した場合であっても、水滴が保冷室２０Ａに流入することを抑制できる。なお、発泡樹脂製の保冷容器１は、所定の通気性を有しているので、保冷剤５としてドライアイスを用いた場合に、ドライアイスが昇華して発生した二酸化炭素を緩やかに排出することができる。
【００２９】
また、保冷室２０Ａには、円筒形状の被輸送物４の形状に対応した保持穴２８が設けられ、被輸送物４は、保持穴２８の内周面に内方に突出した保持突起２８ａによって保持穴２８に圧着されるので、被輸送物４を安定的に収容し、輸送の際の振動や衝撃からも被輸送物４を保護することができる。更に、突出部３４が保冷室２０Ａに嵌め込まれているので、仮に被輸送物４が保持穴２８から外れた場合でも、突出部３４によって被輸送物４の上方への移動が規制されるので、被輸送物４が保冷室２０Ａ内で散乱することもなく、被輸送物４を安全に輸送することができる。また、図１（ａ）及び図７に示したように、突出部３４と被輸送物４との間に緩衝材６を挟持させれば、振動や衝撃から被輸送物４を保護することができ、より効果的である。
【００３０】
なお、本考案は、上記実施の形態の構成に限られず、考案の趣旨を変更しない範囲で種々の変形が可能である。上記実施形態では、保冷室２０Ａの２方向に保冷剤収容室２０Ｂを設けた構成を示したが、被輸送物４の収容数が増えて、保冷室２０Ａの容積が大きくなった場合には、例えば、保冷室２０Ａの４方向に保冷剤収容室２０Ｂを設けてもよい。また、保冷容器１の全高を高くし、保冷室２０Ａに被輸送物４を２段積みできるように構成されてもよい。
【符号の説明】
【００３１】
１    保冷容器
２    容器本体
２０    開口
２０Ａ    保冷室
２０Ｂ    保冷剤収容室
２７    隔壁部
２８    保持穴
２８ａ    保持突起
２９    縦溝
３    蓋体
３４    突出部
３６    段状部
４    被輸送物
５    保冷剤
Ｓ    隙間
【図１】
0003232348.tif 000003
【図２】
0003232348.tif 000004
【図３】
0003232348.tif 000005
【図４】
0003232348.tif 000006
【図５】
0003232348.tif 000007
【図６】
0003232348.tif 000008
【図７】
0003232348.tif 000009
【手続補正書】
【提出日】令和3年3月30日(2021.3.30)
【手続補正１】
【補正対象書類名】実用新案登録請求の範囲
【補正対象項目名】請求項５
【補正方法】変更
【補正の内容】
【請求項５】
前記保冷室内において前記突出部と前記被輸送物との間に緩衝材が挟持されることを特
徴とする請求項１乃至請求項４のいずれか一項に記載の保冷容器。